(57)【要約】【課題】任意の場所にて基地局との間に構築される全てのＦＡ無線通信電波環境を容易に測定するためのＦＡ無線通信電波環境の測定装置及びその測定方法を提供すること。【解決手段】基地局と無線通信を行うための端末およびこの端末と結ばれるＰＣを備え、前記端末が既に入力されたＭＩＮをハッシュして決められたＦＡを介して基地局と無線通信を行う間に、ＰＣからシステムの切換指令が下されれば、システムを切り換えるか、あるいは、ＰＣからＦＡの切換指令が下されれば、ハッシュによるＦＡの決定を防ぐと共に、そのＰＣから命じられたＦＡに切り換えることにより、単一の端末により任意の地域に割り当てられた全てのＦＡ関係の無線通信電波環境を容易に測定することができる。【選択図】図２
2006087068.tif 000002
【特許請求の範囲】
【請求項１】
任意の場所にて基地局との間に構築される周波数割当て無線通信電波環境を測定するための方法であって、
前記基地局と無線通信を行うための端末およびこの端末と結ばれるパソコンを備え、前記端末が既に入力された端末認証番号をハッシュして決められた周波数割当てを介して前記基地局からその周波数割当て関係の無線通信電波環境の情報を得るステップと、
前記パソコンが前記端末からその周波数割当て関係の無線通信電波環境の情報を受信してモニターするように読込み可能なグラフの形で出力するステップと、
前記パソコンが前記端末にシステムを切り換えるように指令を下し、前記端末がその指令に基づいてシステムを切り換え、前記基地局からその切り換えられたシステムに関する無線通信電波環境の情報を得て前記パソコンに出力するステップと、
前記パソコンが前記端末に周波数割当てを切り換えるように指令を下し、前記端末がその指令に基づいて周波数割当てに切り換え、前記基地局からその切り換えられた周波数割当て関係の無線通信電波環の境情報を得て前記パソコンが前記端末から受信したその切り換えられた周波数割当て関係の無線通信電波環境の情報をグラフの形で再出力するステップと
を含むことを特徴とする周波数割当て無線通信電波環境の測定方法。
【請求項２】
前記端末はパワーオンにより起動され、既に入力された端末認証番号をハッシュして周波数割当てを決めた後、その周波数割当てにより前記基地局と無線通信が行える受信待ち状態に達する間に、前記パソコンからシステムの切換えや周波数割当て切換指令が下されれば、前記受信待ち状態に移動した直後に前記パソコンから命じられたシステムや周波数割当てに切り換える
ことを特徴とする請求項１に記載の周波数割当て無線通信電波環境の測定方法。
【請求項３】
任意の場所にて基地局との間に構築される周波数割当て無線通信電波環境を測定するための周波数割当て無線通信電波環境の測定装置において、
既に入力された端末認証番号をハッシュして決められた周波数割当てにより前記基地局と無線通信を行うが、結ばれたパソコンからシステムや周波数割当ての切換指令が下されれば、そのパソコンから下された指令に基づいてシステムや周波数割当てを切り換え、その周波数割当て関係の無線通信電波環境の情報を前記基地局から得る端末と、
前記端末と結ばれ、前記端末にシステムや周波数割当ての切換指令を下し、前記端末から得られた前記基地局からの周波数割当て関係の無線通信電波環境の情報を読み込んでモニターするためにグラフを出力するようにプログラミングされたパソコンと、
を備えることを特徴とする周波数割当て無線通信電波環境の測定装置。
【発明の詳細な説明】
【技術分野】
【０００１】
本発明は基地局との間に構築される周波数割当て（ＦＡ：Ｆｒｅｑｕｅｎｃｙ Ａｓｓｉｇｎｍｅｎｔ）無線通信電波環境を測定するためのＦＡ無線通信電波環境の測定装置及びその測定方法に係り、詳しくは、任意の場所にて基地局との間に構築される全てのＦＡ無線通信電波環境を容易に測定するためのＦＡ無線通信電波環境の測定装置及びその測定方法に関する。
【背景技術】
【０００２】
通常、携帯電話は、中継所である基地局（ＢＴＳ）とアンテナを介して無線接続を行うことにより、音声などの無線通信が可能になる移動通信の一種である。携帯電話は、ＲＦ送受信部、制御部、メモリ部などのハードウェアと、そのハードウェアを運用するためのソフトウェアと、よりなり、携帯電話同士は基地局を介して無線通信が行える。また、固有の携帯電話認証番号（Ｍｏｂｉｌｅ Ｉｄｅｎｔｉｆｉｃａｔｉｏｎ Ｎｕｍｂｅｒ、以下、「ＭＩＮ」）により自分のＦＡを割り当てられることにより、無線通信が行える。そして、無線通信部には２つのシステムがある。すなわち、２Ｇ（２−ＧｅｎｅｒａｔｉｏｎまたはＩＳ−９５ Ａ／Ｂ）と３Ｇ（３−ＧｅｎｅｒａｔｉｏｎまたはＩＳ−２０００ １Ｘ ）である。端末は２つのシステムのうちどちらか一方を選んで接続を行う。基本的には、端末が３Ｇ向けのものであれば、２Ｇと３Ｇの両方ともに接続可能であり、２Ｇ向けのものであれば、２Ｇにのみ接続可能である。
【０００３】
携帯電話に対するＦＡは、ＭＩＮをハッシュして割り当てるハッシュ関数を有するソフトウェアを介して行われる。ハッシュ関数はキー値を変換してアドレスを算出する指令を１つの数式により表わす方法であって、携帯電話ではＭＩＮのキー１値を変換して多数のバケットに一定にＦＡを行うことにより、携帯電話がその割り当てられたＦＡを介して無線通信を行える。通常、ＦＡの数は、ソウルの場合に７つの２Ｇ及び９つの１Ｘが割り当てられ、地方の場合に３−４個の２Ｇ及び４−５個の１Ｘが割り当てられている。またこれらの割当て数がバケット数になり、ハッシュ関数は入力されるＭＩＮをハッシュしてこれらのバケットに一定に割り当てる。このため、携帯電話はＭＩＮにより割り当てられた１つのＦＡを介して無線通信を行う。
【０００４】
このため、携帯電話と基地局との間に構築されるＦＡの無線通信の電波環境を測定するＦＡ測定者は、１台の携帯電話により１ヶ所のＦＡの無線通信電波環境を測定せざるを得なかった。その結果、ＦＡ測定者が任意の測定場所にて他のＦＡの無線通信電波環境を測定しようとする場合、その測定しようとするＦＡに向かうＭＩＮを検出し、そのＭＩＮを携帯電話に入力する必要があった。あるいは、全てのＦＡの携帯電話を一々携帯するしかなかった。
【０００５】
これらの理由から、顧客からの苦情を処理するためにＦＡ測定者が現場を訪問するとき、その顧客と同じシステム、同じＦＡの端末を確保する必要があるという不都合があった。さらに、その端末を確保したとしても、測定試験時に顧客情報が流出される恐れがあり、しかも、長時間がかかるという不都合もあった。
【発明の開示】
【発明が解決しようとする課題】
【０００６】
本発明は上記事情に鑑みてなされたものであり、その目的は、任意の場所にて基地局との間に構築される全てのシステム、全てのＦＡ無線通信電波環境を容易に測定するためのＦＡ無線通信電波環境の測定装置及びその測定方法を提供するところにある。
【課題を解決するための手段】
【０００７】
上記目的を達成するために、本発明は、任意の場所にて基地局との間に構築されるＦＡ無線通信電波環境を測定するためのＦＡ無線通信電波環境の測定装置において、既に入力されたＭＩＮをハッシュして決められたＦＡにより前記基地局と無線通信を行うが、結ばれたパソコンからシステムやＦＡの切換指令が下されれば、そのパソコンから下された指令に基づいてシステムやＦＡを切り換え、そのＦＡ関係の無線通信電波環境の情報を前記基地局から得る端末と、前記端末と結ばれ、前記端末にシステムやＦＡの切換指令を下し、前記端末から得られた前記基地局からのＦＡ関係の無線通信電波環境の情報を読み込んでモニターするためにグラフを出力するようにプログラミングされたパソコンと、を備えることを特徴とする。
【０００８】
また、本発明は、任意の場所にて基地局との間に構築されるＦＡ無線通信電波環境を測定するための方法であって、前記基地局と無線通信を行うための端末およびこの端末と結ばれるパソコンを備え、前記端末が既に入力されたＭＩＮをハッシュして決められたＦＡを介して前記基地局からそのＦＡ関係の無線通信電波環境の情報を得るステップと、前記パソコンが前記端末からそのＦＡ関係の無線通信電波環境の情報を受信してモニターするように読込み可能なグラフの形で出力するステップと、前記パソコンが前記端末にシステムを切り換えるように指令を下し、前記端末がその指令に基づいてシステムを切り換え、前記基地局からその切り換えられたシステムに関する無線通信電波環境の情報を得て前記パソコンに出力するステップと、前記パソコンが前記端末にＦＡを切り換えるように指令を下し、前記端末がその指令に基づいてＦＡに切り換え、前記基地局からその切り換えられたＦＡ関係の無線通信電波環の境情報を得て前記パソコンが前記端末から受信したその切り換えられたＦＡ関係の無線通信電波環境の情報をグラフの形で再出力するステップと、を含む。
【０００９】
このステップにおいて、前記端末は、好ましくは、パワーオンにより起動され、既に入力されたＭＩＮをハッシュしてＦＡを決めた後、そのＦＡにより前記基地局と無線通信が行える受信待ち状態に達する間に、前記パソコンからシステムの切換えやＦＡ切換指令が下されれば、前記受信待ち状態に移動した直後に前記パソコンから命じられたシステムやＦＡに切り換える。
【発明の効果】
【００１０】
本発明によれば、端末が既に入力されたＭＩＮをハッシュして決められたＦＡを介して基地局と無線通信を行う間に、ＰＣからＦＡの切換指令が下されれば、ハッシュによるＦＡの決定を防ぎ、そのＰＣから命じられたＦＡに切り換え、システム切換指令が下されればシステムを切り換えることにより、単一の端末をもって任意の地域に割り当てられた全てのＦＡ関係の無線通信電波環境を容易に測定することができる。
【発明を実施するための最良の形態】
【００１１】
以下、添付した図面に基づき、本発明の好適な実施の形態について詳細に説明する。
【００１２】
図１は、本発明によるＦＡ無線通信電波環境の測定装置を示す図、図２は、本発明によるＦＡ無線通信電波環境の測定装置を示すブロック図、図３は、本発明によるＦＡ無線通信電波環境の測定方法を示すフローチャート、図４は、本発明に従い端末がシステムやＦＡを切り換えるためのフローチャート、そして図５及び図６は、本発明によるツールバーを示す図である。
【００１３】
図面に示すように、本発明によるＦＡ無線通信電波環境の測定装置は、パソコン（ＰＣ）１０と、このＰＣ１０と結ばれる端末２０と、を備える。
【００１４】
前記ＰＣ １０はデスクトップ、ノート型パソコンなどを含み、結ばれた前記端末２０を用いてＦＡ無線通信電波環境を測定し、その測定結果を出力する。図５及び図６に示すように、前記ＰＣ１０はその出力装置にツールバー４０をディスプレイしてそのツールバー４０からＦＡ無線通信電波環境を測定するためのプロセスを行わせ、測定結果を出力する。ここで、ＰＣ１０は公知のものであるため、これについての詳細な説明は省く。前記ＰＣ１０としては、ＯＳとしてウィンドウズ（登録商標）９８／Ｍｅ／２０００／２００３／Ｘｐがセットされたものであればいずれも使用可能である。
【００１５】
前記端末２０は、基地局と無線通信が行える構造部であって、ＲＦ送受部２１、周波数変換部２２、制御部２３、メモリ部２４を備える。この端末２０は、通常の携帯電話と同じ運営方式により基地局と無線通信を行うため、前記端末２０は携帯電話でありうる。
【００１６】
その構造について簡単に説明すれば、下記の通りである。前記ＲＦ送受信部２１は、アンテナ、フィルタ、ＬＮＡを備え、基地局と無線通信を行う自由空間に信号を送ると共に、信号を受け取る。また、前記ＲＦ送受信部２１は、信号のノイズをなくして信号を常に一定の強度に保持する。アンテナは送信信号の強度を調節し、ＬＮＡは受信信号の強度を調節し、そしてフィルタは信号をろ過する。
【００１７】
前記周波数変換部部２０（ＵＰＣ，ＤＮＣ，Ａ／Ｄ，Ｄ／Ａ）は、アナログ信号とデジタル信号との間の変換を行うと共に、信号の周波数を増減する。
【００１８】
前記制御部２３は、符号化部、変復調部及び中央処理装置を備え、ＤＭＡ（コード分割多重接続）方式に基づいて音声信号をコード化済みデジタル信号を変換するか、デジタル信号を音声信号に変換する。
【００１９】
前記メモリ部２４（ＲＡＭ，ＲＯＭ，ＥＥＰＲＯＭ）は、上述したハードウェアを運営するためのＯＳや通常のソフトウェア及びデータを保存する。
【００２０】
このような構造を有する前記端末２０は、前記ＰＣ１０がＦＡ無線通信電波環境を測定可能に基地局と無線接続を行い、前記ＰＣ１０の指令に基づいてシステムやＦＡを切り換えることにより、前記ＰＣ１０をもって全てのＦＡ無線通信電波環境を測定することができる。すなわち、前記端末２０は前記ＰＣ１０の指令に基づいてシステムやＦＡを切り換え、基地局間に構築されるＦＡ関係の無線通信電波環境の情報を前記ＰＣ１０に送り、前記ＰＣ１０をしてそのＦＡ関係の無線通信電波環境の情報に基づいてＦＡ無線通信電波環境を測定させる。
【００２１】
前記端末２０から前記ＰＣ１０へと送られるＦＡ関係の無線通信電波環境の情報は、受信レベル、Ｅｃ／Ｉｏ，Ａｄｊｕｓｔ，基地局と携帯電話との間の送受信メッセージ情報を含み、前記ＰＣ１０はこれらの情報に基づいてＦＡの無線通信電波環境を測定する。
【００２２】
前記端末２０は前記ＰＣ１０のＲｓ−２３２Ｃに接続される。また、電源としては別の外部電源が利用できるが、前記ＰＣ１０のＵＳＢ電源が好適に用いられる。接続ケーブル３０としては、好ましくは、ＤＭケーブルが使われる。
【００２３】
以下、このようなシステムを介して行われる本発明によるＦＡ無線通信電波環境の測定方法について説明する。
【００２４】
まず、前記ＰＣ１０は、既に入力されたＭＩＮをハッシュして決められたＦＡを介して基地局と無線接続を行う前記端末２０と接続する（ステップ１００）。前記端末２０は予め設定されたシステムに接続し、既に入力されたＭＩＮをハッシュ関数のアルゴリズムによりハッシュして割り当てて決められたＦＡを介して基地局と無線接続可能な状態に移動し、前記ＰＣ１０はこの状態の前記端末２０と結ばれる。前記端末２０は、決められたＦＡを介して無線接続を行う基地局からそのＦＡ関係の情報、例えば、受信レベル、Ｅｃ／Ｉｏ，Ａｄｕｓｔ，基地局と携帯電話との間の送受信メッセージ情報などの無線通信電波環境の情報を得る。このようにして得られたＦＡ関係の無線通信電波環境の情報は前記端末２０から前記ＰＣ１０へと送られ（ステップ１０１）、前記ＰＣ１０は送られる前記ＦＡ関係の無線通信電波環境の情報を読込み可能なグラフの形で出力する（ステップ１０２）。
【００２５】
図５に示すように、前記ＰＣ１０は、その出力装置にツールバー４０を出力し、このツールバー４０からＦＡ関係の無線通信電波環境をモニターするようにグラフ表示をする。
【００２６】
例えば、ＦＡを測定しようとする地域がソウルであるとすれば、前記ツールバー４０のＦＡ一覧表示ウィンドウ４１にはソウル地域の２Ｇシステムに与えられた７つの全ＦＡ数が出力され、ＭＩＮウィンドウ４２には、上述したように、ＦＡを決めるために使われるＭＩＮが出力される。また、前記ＦＡ一覧表示ウィンドウ４１には、前記端末２０が前記ＭＩＮウィンドウ４２に出力されたＭＩＮをハッシュして決められたＦＡ、例えば、２ＦＡが表示され、図面には、箱状に取り囲んでその決められたＦＡ（２ＦＡ）を示す。このため、前記端末２０は、現在の２Ｇシステムの２ＦＡにより基地局と無線接続を行い、その２ＦＡに関する無線通信電波環境の情報が前記ＰＣ１０にリアルタイムにて転送される。また、前記ＰＣ１０は前記端末２０から送られてくるその２ＦＡ関係の無線通信電波環境の情報に基づき、その測定結果をツールバー４０にグラフの形で出力する。
【００２７】
前記ツールバー４０におけるＥｃ／Ｉｏグラフ表示ウィンドウ４３は、前記端末２０が確保しているアクティブセットのＥｃ／Ｉｏ値を線グラフで示すものである。ここで、縦軸はＰＮに対するＥｃ／Ｉｏ［ｄＢ］値を示し、横軸は時間（秒）を示す。
【００２８】
ＰＮ一覧グラフ表示ウィンドウ４４は、前記端末２０が管理しているパイロットセットに関する情報を棒グラフで示す。ＰＮグラフは、ＰＮのＰＮオフセットと、Ｅｃ／Ｉｏを出力するグラフと、各ＰＮの情報を出力するグリッドと、よりなる。Ｅｃ／Ｉｏグラフ表示ウィンドウ４３は、前記端末２０が管理しているＰＮのＥｃ／Ｉｏ状態をグラフの形で出力する。グリッドは各ＰＮ情報を表示するものであって、ＰＮセット、ＰＮオフセット、Ｅｃ／Ｉｏ、基地局の名前に区別して表示する。ＰＮセットは色相に応じて区別され、黄色はアクティブセットを、ピンクはキャンディデートセットを、そして薄い青色はネイバーセットを表わす。
【００２９】
パワーグラフ表示ウィンドウ４５は、前記端末２０のパワーＲｘ，Ｔｘ，Ｔｘ ａｄｊｕｓｔ ｐｏｗｅｒの情報を表示する。パワーグラフ表示ウィンドウ４５におけるＴｘ，Ｔｘ ａｄｊｕｓｔ ｐｏｗｅｒは前記端末２０が通話中であるときにのみ表示される。ここで、Ｘ軸は時間単位（秒）を、Ｙ軸はｄＢまたはｄＢｍを表わす。
【００３０】
ＣＡＩ（Ｃｏｍｍｏｎ Ａｉｒ Ｉｎｔｅｒｆａｃｅ）ボタン４６をクリックすれば、図６に示すように、前記端末２０から送られてくる、例えば、２ＦＡ関係の無線通信電波環境の情報に基づいて測定しようとするメッセージおよび値を時間帯別に表示する。
【００３１】
このように、前記ＰＣ１０は、そのツールバー４０を介して現在の前記端末２０から決められたＦＡ関係の測定値を様々に表示し、これを見てＦＡ測定者はそのツールバー４０からＦＡ関係の無線通信電波環境が確認可能となる。
【００３２】
この状態で、ＦＡ測定者が前記ツールバー４０から他のシステムを選択すれば、前記ＰＣは前記端末にその選択されたシステムに切り換えるように指令を下し、前記端末は命じられたシステムに切り換え、その切り換えられたシステムの基地局と無線接続を行う。そして、他のＦＡを選択すれば（ステップ１０３）、前記ＰＣ１０は前記端末２０にその選択されたＦＡに切り換えるように指令を下し（ステップ１０４）、前記端末２０は命じられたＦＡに切り換え、その切り換えられたＦＡをもって基地局と無線接続を行う（ステップ１０５）。
【００３３】
このように、前記端末２０が切り換えられたシステムやＦＡを介して基地局と無線通信を行う間に、前記端末２０はその切り換えられたシステムやＦＡ関係の無線通信電波環境の情報を得て前記ＰＣ１０に送り、前記ＰＣ１０は、前記端末２０から送られてくるその切り換えられたＦＡ関係の無線通信電波環境の情報に基づいて前記ツールバー４０に上述した測定結果を出力する。これらの過程を繰り返し行うことにより、前記ＰＣ１０は、前記端末２０を介して任意の場所にてその地域に割り当てられた全てのＦＡの無線通信電波環境を容易に測定することができる。
【００３４】
例えば、ＦＡ測定者が前記２ＧシステムのＦＡ一覧表示ウィンドウ４１に出力されたソウル地域の全てのＦＡのうち７ＦＡ（図中の４０４［７］）の無線通信電波環境を測定するためにマウスをクリックをすれば、前記ＰＣ１０はその７ＦＡを認識して前記端末２０に現在の２ＦＡから７ＦＡに切り換えることを命じる。
【００３５】
すると、前記端末２０は自体的にプログラムを駆動して２ＦＡから７ＦＡに切り換えた後、その７ＦＡにより基地局と無線接続を行い、次いで、基地局からその７ＦＡ関係の無線通信電波環境の情報を得て前記ＰＣ１０に送る。前記ＰＣ１０は前記端末２０から送られてくる前記７ＦＡ関係の無線通信電波環境の情報を前記ツールバー４０にＦＡ測定者が読込み及びモニター可能にグラフの形で出力する。これらの過程を繰り返し行うことにより、ＦＡ測定者は、任意の場所においてソウル地域に割り当てられた合計で７つのＦＡの無線通信電波環境を測定することができる。
【００３６】
そして、この過程で３ＧシステムのＦＡを測定するために３Ｇシステムのアイコンをクリックすれば、前記ＰＣは前記端末に３Ｇシステムへの切換え指令を下し、前記端末はシステムの３Ｇシステムに切り換えた後、無線通信電波環境の情報をＰＣに送る。
【００３７】
図３に示すように、前記端末２０は以下のプロセスを行うことにより、前記ＰＣ１０から命じられたシステム及びＦＡへの切り換えを行う。
【００３８】
前記端末２０は、パワーオンによる起動及びシステム決定ステップ（ステップ２０１）と、既に入力されたＭＩＮをハッシュしてＦＡを決めるステップと（ステップ２０２）と、その決められたＦＡにて受信を待つステップ（ステップ２０３）と、を経て前記ＰＣ１０にそのＦＡ関係の無線通信電波環境の情報を送る。例えば、前記ツールバー４０のＭＩＮウィンドウ４２に表示されたＭＩＮによりハッシュして２ＦＡを決め、この２ＦＡを介して基地局と無線通信を行うことにより、受信待ち中に基地局から送られてくる２ＦＡ関係の無線通信電波環境の情報を前記ＰＣ１０に送る。
【００３９】
つまり、前記端末２０に電源が入ると、ＥＥＰＲＯＭから必要なシステム情報を読み込んでＲＡＭにセットした後、パイロットチャンネル、シンクチャンネルを用いて同期合わせを行い、システムに必要な情報を基地局から受信して初期化する。この状態で、基地局から任意の地域のＣＤＭＡチャンネル一覧（ＦＡ一覧）を受け取った後、既に入力されたＭＩＮをハッシュしてＦＡを決め、このようにして決められたＦＡを介して基地局と無線接続を行いながら、無線通信可能な受信待ち状態に移動する。この受信待ち状態は、ページングチャンネルを受信し続ける状態であって、前記端末２０は受信待ち中に基地局から継続して送られてくるＦＡ関係の無線通信電波環境の情報を前記ＰＣ１０に送る。
【００４０】
次いで、前記ＰＣ１０からシステムやＦＡの切換指令が下されれば（ステップ２０４）、基地局と無線通信可能な受信待ち状態（ステップ２０３）に移動した直後に前記ＰＣ１０から命じられたＦＡに切り換えることにより、その切り換えられたＦＡ関係の無線通信電波環境の情報を基地局から得て前記ＰＣ１０に送る。
【００４１】
このように、前記端末２０は、既に入力されたＭＩＮをハッシュして決められたＦＡを介して基地局と無線通信を行う間に、前記ＰＣ１０からＦＡの切換指令が下されれば、ハッシュによるＦＡの決定を防ぐと共に、直ちに命じられたＦＡに切り換えるか、あるいは、システムの切換指令が下されれば、システムを切り換え、再び無線接続を行うことにより、任意の場所にてその地域に割り当てられた全てのＦＡ関係の無線通信電波環境を容易に測定することができる。
【図面の簡単な説明】
【００４２】
【図１】本発明によるＦＡ無線通信電波環境の測定装置を示す図。
【図２】本発明によるＦＡ無線通信電波環境の測定装置を示すブロック図。
【図３】本発明によるＦＡ無線通信電波環境の測定方法を示すフローチャート。
【図４】本発明に従い端末がＦＡを切り換えるためのフローチャート。
【図５】本発明によるツールバーを示す図。
【図６】本発明によるツールバーを示す図。
【符号の説明】
【００４３】
１０：パソコン（ＰＣ）
２０：無線通信用端末
３０：ケーブル
４０：ツールバー
【図２】
2006087068.tif 000003
【図３】
2006087068.tif 000004
【図４】
2006087068.tif 000005
【図１】
2006087068.tif 000006
【図５】
2006087068.tif 000007
【図６】
2006087068.tif 000008